(57)【特許請求の範囲】
【請求項１】
長尺の補強用テープから建造物補強部分の周囲被覆若しくは表面貼付けの所用長さを切断し、補強部分に周囲被覆若しくは表面貼付けすることにより補強するための用途の長尺の補強用テープであって、タテ糸にアラミド繊維が使用され、かつ、長手方向の一定間隔毎に、異なる色調の色糸がヨコ糸として織り込まれた織物から構成されることを特徴とする建造物補強用テープ。
【請求項２】
補強対象の建造物がコンクリート建造物であることを特徴とする請求項１記載の建造物補強用テープ。
【請求項３】
長尺の補強用テープから建造物補強部分の周囲被覆若しくは表面貼付けするに足る長さを切断した後、建造物補強部分の周囲若しくは表面に、接着剤でもって補強用テープを貼付け固定する建造物補強方法において、補強用テープとして請求項１記載の建造物補強用テープを用いることを特徴とする建造物の補強方法。
【発明の詳細な説明】
【０００１】
【発明の属する技術分野】
本発明は補強用テープに関し、特に、裁断が容易で、たとえばコンクリート建造物などの補強に適した補強用テープに関するものである。
【０００２】
【従来の技術】
平成７年に発生した兵庫県南部地震により多数の家屋、ビル、道路や鉄道の高架橋などの構造物が破壊され、コンクリート構造物を始めとする土木建築物についての耐震性が見直されるようになった。特に、公共性の強い土木建築物については、政府から耐震補強を実施するよう義務づけされている。
【０００３】
コンクリート製の土木建築物はすでに多数存在するが、一般に昭和５５年以前に建設されたものについては耐震性が不十分であり、耐震補強を必要とする。また、耐震性が十分であっても、コンクリートの乾燥収縮や、外的圧力によってひび割れや部分的に剥落したものが多数存在し、これらの補修も行われる必要がある。
【０００４】
コンクリートの補強、補修方法はいくつかあるが、繊維シートからなるテープをコンクリート面に貼り付け、もしくは巻き付ける補強、補修方法が注目されている。これは施工が容易であり、また、工期が短縮できるなどの利点があるためである。
【０００５】
この繊維シートによる補強、補修方法は、引張強力が高くまた、引張弾性率の高い繊維シート（通常、炭素繊維が一般に用いられている）を用いて、コンクリートの表面にエポキシ樹脂を用いて接着させることにより行われる。この際、エポキシ樹脂は繊維シートをコンクリートに接着させるだけでなく、繊維シートに含浸し、シートの強度を向上させ、さらに繊維シートの強度をコンクリートに伝える媒体としての役割を果たしており、重要な材料である。
【０００６】
このようにコンクリートの補強、補修の一工法として、繊維シートとエポキシ樹脂の複合体を貼り付ける方法が採用されており、現在急速に普及している。
【０００７】
【発明が解決しようとする課題】
コンクリート表面に繊維シートを貼り付ける手順として、先ず、コンクリート表面を適当にはつり、研磨等によって表面の脆弱な層を取り除き、また、場合によっては隅角部を削り、適度に丸めたり、窪んだ部分にパテ等を充填して不陸調整を行う。こうした下地処理を行った後、コンクリートの表面にプライマーと呼ばれる樹脂を塗布し、乾燥させる。プライマーは通常、繊維シートに含浸させる樹脂と同種類のものを使用する。従って、エポキシ樹脂を含浸樹脂として使用する場合には、コンクリートに浸透しやすいように粘度等を調整されたエポキシ樹脂がプライマーとして用いられる。コンクリート表面にプライマーが塗布され、十分に乾燥したのち、含浸樹脂であるエポキシ樹脂がその上に塗布される。
【０００８】
塗布後、あらかじめ必要とする長さ（柱の周長に継ぎしろを加えた長さ）に切断たアラミド繊維シートを直ちに貼り付け、ローラーなどを用いて、樹脂を十分に繊維シートに含浸させる。下塗り樹脂が十分含浸したことを確認した後、同じ樹脂を用いて、上塗りを行う。繊維シート全面に均一にエポキシ樹脂を塗布した後、樹脂が完全に硬化するまで、養生をしておく。補強の程度によっては、繊維シートを何層も重ねて貼り付けすることもあり、その際は上記の工程を繰り返す。最上層のシート貼り付けが終了し、表面のエポキシ樹脂が完全に硬化したことを確認したら、仕上げとして、耐久性、耐火性を向上させるため、表面をフッ素樹脂やアクリル樹脂塗装、場合によってはモルタル塗装する。
【０００９】
以上の手順で行うが、高架橋柱のサイズは、一辺が７０ｃｍ、高さが５ｍ程度の角柱であり、また繊維シートの巾は５０ｃｍ程度であるので、一層当たり、３ｍの長さのシートが、１０本必要となる。また、新幹線の柱では、平均８層が必要であるので、高架橋柱１本につき約８０本のシートが必要となる。従って、約８０回の採寸、切断作業が、必要となる。工事現場においての採寸作業は、作業場所や作業時間に制限があるため、これまで寸法違いや、工期遅れなどの問題があった。これは、３ｍの長さのシートを測り、裁断するのに手間がかかっていたためである。
【００１０】
従って、本発明の目的は、工事現場等での採寸が容易で、作業効率に優れた補強用シートを提供することにある。
【００１１】
【課題を解決するための手段】
上記課題を解決するため、本発明は次の手段を採る。
（１） 長尺の補強用テープから建造物補強部分の周囲被覆若しくは表面貼付けの所用長さを切断し、補強部分に周囲被覆若しくは表面貼付けすることにより補強するための用途の長尺の補強用テープであって、タテ糸にアラミド繊維が使用され、かつ、長手方向の一定間隔毎に、異なる色調の色糸がヨコ糸として織り込まれた織物から構成されることを特徴とする建造物補強用テープ。
【００１２】
（２）補強対象の建造物がコンクリート建造物であることを特徴とする上記（１）記載の建造物補強用テープ。
（３）長尺の補強用テープから建造物補強部分の周囲被覆若しくは表面貼付けするに足る長さを切断した後、建造物補強部分の周囲若しくは表面に、接着剤でもって補強用テープを貼付け固定する建造物補強方法において、補強用テープとして請求項１記載の建造物補強用テープを用いることを特徴とする建造物の補強方法。
【００１３】
【発明の実施の形態】
本発明の建造物補強用テープは織物から構成される。この織物を構成する繊維材料は、通常は引張り強度１００ｋｇ／ｍｍ2以上のものを用い、例えばアラミド繊維、ポリアリレート繊維、ポリベンゾビスオキサゾール繊維、超高分子ポリエチレン繊維、高強力ポリビニルアルコール繊維等の有機繊維、炭素繊維、ガラス繊維、セラミック繊維等の無機繊維、あるいは金属繊維を単独あるいはこれらの組み合わせであるが、タテ糸（シートの長手方向の糸）にアラミド繊維を使用することが必要である。
【００１４】
織物は、少なくとも一部にアラミド繊維を用いるものであり、即ち、タテ糸（シートの長手方向の糸）にアラミド繊維を用いる。
【００１５】
また、補強用テープへのマークは、一定のテープの長さごとに１本または数本の色糸をヨコ糸として打ち込むことによって達成する。
【００１６】
このように、一定の長さごとにマーキングされた補強、補修用テープは、必要な長さに裁断するときに、マークによって任意の長さを判断でき、巻尺や他のスケールによって採寸する必要がない。特に工事現場など採寸のための広い場所が確保しにくい場所においては、スケールによる採寸の必要がないので、裁断作業が容易に効率よく実施できる。
【００１７】
【実施例】
以下、実施例を挙げて本発明を具体的に説明する。
参考例
タテ糸に引張り強度２９０ｋｇ／ｍｍ2、引張り弾性率１１，１００ｋｇ／ｍｍ2の高弾性率パラ系アラミド繊維（商品名”ケブラー”）２８４０Ｄ、ヨコ糸にナイロン繊維２１０Ｄを用いて、巾５０ｃｍのテープ状織物を製織した。タテ糸の総本数は６９０本、ヨコ糸の密度は１０ｃｍ間当たり６０本で、織物組織は模紗織とした。
このテープ状織物を、エポキシ樹脂で樹脂含浸し硬化させた後の引張り強さは６７トン／ｍで、鉄道の高架橋を支えるコンクリート柱の補強用テープ織物とし適したものであった。
【００１８】
このテープ状織物を、測長器とスタンプを備えたマーカーに通し、長さ１ｍ毎に赤のマーキングをした。
このマーキングされたテープ状織物を用いて、１辺が７０ｃｍ、高さが５ｍの角柱である鉄道高架橋柱を補強するにあたり、スケールを用いることなくこのテープ状織物のマークを利用して、長さ３ｍの補強用テープ８０本に裁断することができ、効率よく作業をすることができた。
【００１９】
実施例１
地ヨコ糸に、１０ｃｍ毎にブルーに先染めした色糸を３本、１ｍ毎に赤に先染めした色糸を３本ヨコ打ち込みして、裁断長を決めるマークとした以外は参考例と同じテープ状織物を作った。
【００２０】
このテープ状織物はスタンプでマークする必要がなく、正確に裁断することが可能であった。
【００２１】
実施例２
先染めしないヨコ糸で１ｍ製織し、次の１ｍは赤に先染めした色糸ヨコ糸として製織し、１ｍ毎に交互に色の違う織物とした以外は、参考例と同じ糸使い、同じ組織で、巾５０ｃｍのテープ状織物を製織した。このテープ状織物は１ｍごとに色分けがされているので、スケールを用いなくても簡単に必要な長さに裁断することができた。
【００２２】
【発明の効果】
一定の長さごとに異なる色調の色糸がヨコ糸として織り込まれた織物から構成される補強用テープは、必要な長さに裁断するときに、色糸のマークによって任意の長さを判断でき、巻尺や他のスケールによって採寸する必要がない。特に工事現場など採寸のための広い場所が確保しにくい場所においては、スケールによる採寸の必要がないので、裁断作業が容易に効率よく実施できる。